(57)【要約】【課題】指の付け根や指の関節を保護すべく、指間・趾間に無理なく貼れてその貼着状態を保つことができる絆創膏を提供する。【解決手段】伸縮性を有し、外形が円形をなす平板円形状の絆創膏１０であって、その平面視内方に手足の指を挿通するための挿通部１５を有し、前記挿通部１５に前記指を挿通させ、当該絆創膏１０を前記指の基節８０，９０に到達させることによって前記指の前記基節８０，９０周りを全周に亘って取り囲みつつ指間８１又は趾間９１に貼着可能であることを特徴とすることを特徴とする。【選択図】図２
2017038940.tif 000002
【特許請求の範囲】
【請求項１】
伸縮性を有し、外形が円形をなす平板円形状の絆創膏であって、
その平面視内方に手足の指を挿通するための挿通部を有し、
前記挿通部に前記指を挿通させ、当該絆創膏を前記指の基節に到達させることによって前記指の前記基節周りを全周に亘って取り囲みつつ指間又は趾間に貼着可能であることを特徴とする絆創膏。
【請求項２】
前記挿通部は、手足の指を挿通可能な開口面積を有した挿通孔であり、
前記挿通孔の周りは環状をなす貼着部とされ、
前記挿通孔に前記指を挿通させ、前記貼着部を前記指の前記基節に到達させることによって、前記貼着部が前記指の前記基節周りを全周に亘って取り囲みつつ前記指間又は前記趾間に貼着されることを特徴とする請求項１に記載の絆創膏。
【請求項３】
前記挿通孔の孔内縁には、平面視外方に向かうスリットが設けられていることを特徴とする請求項２に記載の絆創膏。
【請求項４】
伸縮性を有し、外形が楕円形をなす平板円形状の絆創膏であって、
その平面視内方に手足の指を挿通するための挿通孔を有し、
前記挿通孔の孔内縁には、平面視外方に向かうスリットが前記楕円形の長手方向に沿う向きで設けられ、
前記挿通孔の周りは環状をなす貼着部とされ、
前記挿通孔に前記指を挿通させ、前記貼着部を前記指の基節に到達させることによって、前記貼着部が前記指の前記基節周りを全周に亘って取り囲みつつ指間又は趾間に貼着されることを特徴とする絆創膏。
【発明の詳細な説明】
【技術分野】
【０００１】
本発明は、絆創膏に関する。
【背景技術】
【０００２】
従来、身体の部位に貼着して用いる絆創膏として、特許文献１に記載のものが知られている。具体的には、長尺状のテープの中心部に布を設け、この布部分で創傷を覆い、汚れや接触による更なる損傷から創傷部を保護する構成とされている。
【先行技術文献】
【特許文献】
【０００３】
【特許文献１】特開２０１１−１７２８９３号公報
【発明の概要】
【発明が解決しようとする課題】
【０００４】
このような長尺状の絆創膏を手足の指に貼着する場合は巻きつけるようにして使用することが多いが、指の付け根部分においてはその貼着が困難なものとなる。例えば、指あるいは足趾の付け根付近に巻きつけるように貼着すると、指又は足趾の基節から指間、趾間にかけての曲線に沿わせることが難しく、また巻き終わり部分から剥がれやすくなったり、長尺状の長手方向における一端と他端が重なるように貼着する場合は重なった部分から剥がれやすいという事情がある。また、指には巻きつけず指間あるいは趾間において掌から手の甲へと跨ぐように貼着すると、指間あるいは趾間においてテープがよれてしまったり、指の曲げ伸ばし動作に伴う掌や手の甲の動きによってはがれやすいという事情がある。
【０００５】
特に、手の指においては、指の曲げ伸ばし動作や、手を握る、手を開く、物を掴む等の動作に伴う掌や手の甲の動きによって、指の付け根付近の皮膚が伸縮することが多く、また、足趾においては、歩行や着衣による足裏の摩擦等の影響を受けやすいため、そのような箇所に貼着されている絆創膏ははがれやすく満足した使用感が得られない。また、巻き方によっては１指の付け根周りの一部しか保護されない、ということも起こり得る。そこで、あかぎれ等による手荒れ、しもやけ、水虫、アレルギー疾患、とびひ、胼胝、肉刺等による患部（指の付け根や指の関節等）を保護すべく、指間・趾間を含む各指の付け根周り全体に無理なく貼れてその貼着状態を保つことができるような絆創膏が切望されている。
【０００６】
上記のような不都合を解消すべく、例えば絆創膏の外縁にスリットを設けてその外形を複雑な形状としたり、絆創膏全体がＵ字状を描くような形状とすることで、身体の凹凸形状に沿わせやすくしたものが考案されているものの、いずれも指間、趾間を好適に保護するには至っていない。また、従来は傷口を布地等で覆い乾燥状態を保つような「ドライヒーリング」に基づく治療が行われていたが、昨今の医療現場では、滲出液等の体液を傷口に保持することで、人間が本来持っている自然治癒力を引き出すという「モイストヒーリング」による治療が最先端となっており、創傷のケア方法として湿潤という新しい方法が導入されつつあるという実情がある。
【０００７】
本発明は上記のような事情に基づいて完成されたものであって、指間・趾間にも無理なく貼れてその貼着状態を保つことができる絆創膏を提供することを目的とする。
【課題を解決するための手段】
【０００８】
上記課題を解決するために、本発明は、伸縮性を有し、外形が円形をなす平板円形状の絆創膏であって、その平面視内方に手足の指を挿通するための挿通部を有し、前記挿通部に前記指を挿通させ、当該絆創膏を前記指の基節に到達させることによって前記指の前記基節周りを全周に亘って取り囲みつつ指間又は趾間に貼着可能であることを特徴とする。
【０００９】
このような絆創膏によると、外形が円形をなす絆創膏の平面視内方の挿通部に手の指又は足の指を挿通させて当該絆創膏を指の基節に到達させるだけで指の基節（付け根）周り、ひいては指間又は趾間に貼着することができる。このように貼着することで、子どもから大人まで男女問わず誰でも簡単に、また手足を問わず指間又は趾間を保護することができる。また、円形をなす絆創膏の平面視内方に挿通部を設けたことで、当該挿通部に手又は足の指を挿入した状態においてその周辺、つまり貼着部分は環状をなすこととなり、指の付け根周り全体に斑無くフィットするように貼着可能となる。これにより、例えば手の中指を挿通させて貼着した場合、中指の付け根周りを全周に亘って取り囲みつつ貼着されることとなるため、中指と人差し指との指間、及び中指と薬指との指間の双方を同時に保護することができる。このような貼着方法を活用すれば、親指から小指までの５本すべての指に絆創膏を用いずとも、親指から小指までのすべての指間を保護することができ、絆創膏の利用枚数を軽減できる。
【００１０】
また、そのような環状の貼着部分をもって指間又は趾間の患部を保護することができるため、例えば、長尺状の絆創膏を曲線部分に巻きつけるよりもフィット感が増し、また例えば長尺状の絆創膏を掌から手の甲へと跨ぐように貼着する場合に比べて見栄えも使用感も良い。また貼着する際に巻きつける必要がないことからはがれにくく、その良好な貼着状態を維持することができる。また、絆創膏が伸縮性を有することから、手足の指を挿入する際に挿通部の周辺が伸び、指の太さに合わせて自在にそのサイズ調整が行える。
【００１１】
上記絆創膏において、前記挿通部は、手足の指を挿通可能な開口面積を有した挿通孔であり、前記挿通孔の周りは環状をなす貼着部とされ、前記挿通孔に前記指を挿通させ、前記貼着部を前記指の前記基節に到達させることによって、前記貼着部が前記指の前記基節周りを全周に亘って取り囲みつつ前記指間又は前記趾間に貼着されるものとすることができる。
【００１２】
このような絆創膏によると、挿通部が手足の指を挿通可能な開口面積を有した挿通孔とされているため、手足の指を挿通させやすく、その貼着をスムーズに行える。また、挿通部に手足の指を挿通させた際に指周りにおいて生地余りが発生しにくく、絆創膏を指間又は趾間に無駄なく密着するように貼着することができる。
【００１３】
上記絆創膏において、前記挿通孔の孔内縁には、平面視外方に向かうスリットが設けられているものとすることができる。このような絆創膏によると、挿通孔の孔内縁にスリットが設けられていることにより挿通孔の伸びを促してサイズを調整しやすく、様々な太さの指あるいは足趾に利用可能となる。
【００１４】
また、上記課題を解決するために、本発明は、その異なる態様として、伸縮性を有し、外形が楕円形をなす平板円形状の絆創膏であって、その平面視内方に手足の指を挿通するための挿通孔を有し、前記挿通孔の孔内縁には、平面視外方に向かうスリットが前記楕円形の長手方向に沿う向きで設けられ、前記挿通孔の周りは環状をなす貼着部とされ、前記挿通孔に前記指を挿通させ、前記貼着部を前記指の基節に到達させることによって、前記貼着部が前記指の前記基節周りを全周に亘って取り囲みつつ指間又は趾間に貼着されることを特徴とする。
【００１５】
このような絆創膏によると、例えばその長手方向を横向きに、つまり指の配列に倣うように長手方向における両端が隣り合う指を向くように貼着することができ、その場合、指間又は趾間を隣り合う指の付け根まで広域に保護することができる。更に、スリットが楕円形の長手方向に沿う向きで設けられているため、同じく横向きとなる当該スリットを隣り合う指間又は趾間の溝に合わせやすく、手を握ったり指の曲げ伸ばしをしても貼着部のフィットした貼着状態を維持できる。また、例えばその長手方向を縦向きに、つまり長手方向における両端がそれぞれ掌と手の甲を向くように貼着することもでき、その場合、貼着部の一端が手のＭＰ関節や足の足根中足関節を包むように保護することができる。更に、楕円形の長手方向に沿うむきで設けられているスリットが同じく縦向きとなって手のＭＰ関節あるいは足の足根中足関節に沿いやすく、手指、足趾の動きによってこれらの関節が隆起する際にもスリットがその動きを許容してくれるため、貼着部が突っ張ることなく、手のＭＰ関節あるいは足の足根中足関節を包むようにフィットした貼着状態を維持できる。なお、このように貼着部の長手方向における一端が手のＭＰ関節あるいは足の足根中足関節を保護する状態においても、楕円形の短手方向における貼着部が指間、趾間を同様に保護できる。
【発明の効果】
【００１６】
本発明によれば、指間・趾間にも無理なく貼れてその貼着状態を保つことができる絆創膏を提供することができる。
【図面の簡単な説明】
【００１７】
【図１】本発明の実施形態１に係る絆創膏の平面図
【図２】図１における絆創膏を手の指の基節に貼着する様子を示す図
【図３】図１における絆創膏を足の指の基節に貼着する様子を示す図
【図４】図１における絆創膏の伸縮性を示す平面図
【図５】図１における絆創膏の表面（Ａ）及び裏面（Ｂ）を示す平面図
【図６】図５におけるＶ−Ｖ線断面図
【図７】図１における絆創膏の裏面の剥離紙を剥がす態様を示す斜視図
【図８】図７とは別の構成の剥離紙を剥がす態様を示す斜視図（剥がす前の状態を示す図Ａ及び剥がす態様を示す図Ｂ）
【図９】実施形態１に係る絆創膏の変形例１（表面Ａ及び裏面Ｂ）
【図１０】実施形態１に係る絆創膏の変形例２（表面Ａ及び裏面Ｂ）
【図１１】本発明の実施形態２に係る絆創膏の平面図
【図１２】図１１における絆創膏を横向きで手の指の基節に貼着した状態を示す掌側の図（Ａ）と手の甲側の図（Ｂ）
【図１３】図１１における絆創膏を横向きで足の指の基節に貼着した状態を示す図
【図１４】図１１における絆創膏を縦向きで手の指の基節に貼着した状態を示す手の甲側の図（Ａ）と掌側の図（Ｂ）
【図１５】図１１における絆創膏を縦向きで足の指の基節に貼着した状態を示す足の甲側の図（Ａ）と足の裏側の図（Ｂ）
【図１６】図１４における手のＭＰ関節を曲げた状態を示す図
【発明を実施するための形態】
【００１８】
＜実施形態１＞
本発明の実施形態１について図１乃至図８を参照しながら説明する。図１は、本実施形態に係る絆創膏１０の平面図である。図１に示すように、絆創膏１０はその外形が真円形をなす平板円形状をなし、伸縮性を有するものである。また、その平面視内方であって略中央には手足の指を挿通するための挿通孔１５（本発明の「挿通部」に相当）が真円状に形成されている。このように平面視内方に手足の指を挿通可能な開口面積を有した挿通孔１５を設けたことにより、当該挿通孔１５の周りは円環状をなす貼着部１６とされ、この貼着部１６をもって患部を保護するものとされている。ここで、指を挿入するための挿通部を真円状の挿通孔１５としているが、真円に限らず楕円形としても良いし、例えば直線状や十字状の切り込みを設けて指を挿通できる構成としても良い。
【００１９】
絆創膏１０は、図５，６に示すように、基材層１１の裏面に、身体の部位に貼着するための粘着層１２が積層され、更に剥離紙１３が積層されてなる。基材層１１に用いられる素材については、ウレタン不織布、塩化ビニル、伸縮性綿布、スポンジシート、ウレタンフィルム、オレフィンフィルム等、多種多様なものから選択可能である。また、基材層１１の裏面あるいは粘着層１２には、各症状に対応した薬剤を予め染み込ませてあっても良い。
【００２０】
この絆創膏１０を身体に貼着する際は、剥離紙１３を剥がし、粘着層１２が身体側となるようにした状態で、挿通孔１５に手の指（図２参照）又は足の指（図３参照）を挿通させ、絆創膏１０の貼着部１６を指の基節８０（又は足の指の基節９０）に到達させることによって、貼着部１６が指の基節８０（又は足の指の基節９０）周りを全周に亘って取り囲みつつ指間８１又は趾間９１に貼着されることとなる。このとき、絆創膏１０は伸縮性を有するため、図４に示すように挿通孔１５の孔縁１５Ｆが伸び、指の太さや形状に合わせた挿通孔１５のサイズ調整が自在に行える。これにより、絆創膏１０自体のサイズを例えばＳ，Ｍ，Ｌ等の少ないサイズ展開としても、子どもから大人までの指又は足趾に利用可能とされる。
【００２１】
ここでは、貼着前の挿通孔１５の直径が、当該絆創膏１０を貼着する対象となる指の径よりもやや小さく形成されており、貼着部１６が確実に指の基節部から基節、更には指間を覆うような構成とされている。つまり、貼着部１６のうち径方向内側が基節部用貼着部１６Ａとされ、外側が指間貼着部１６Ｂとされている。また、貼着部１６の径方向における太さは、貼着時、指の付け根に到達した際に、絆創膏１０の外周縁１９が、貼着対象となる指と隣り合う指の付け根まで覆うように貼着部１６の幅が設計されている。また、ここでは、貼着部１６の径方向内側半分以上が基節部用貼着部１６Ａとされている。
【００２２】
なお、剥離紙１３は、図５，７に示すように基材層１１と同形状の一枚構成でも良いが、図８に示す剥離紙１４のように２枚（１４Ａ，１４Ｂ）で構成し、それぞれ平面視外方に向かって剥がせるような構成としても良い。剥離紙１３を図７に示すような一枚構成とする場合は、絆創膏１０を貼着する際に予め当該剥離紙１３を剥がしてから手足の指を挿通孔１５に挿通させて貼着する。一方、剥離紙１４を図８に示すような２枚構成とする場合は、当該剥離紙１４を剥がす前の状態（図８Ａの状態）で手足の指を挿通孔１５に途中まで挿通させ、絆創膏１０が指の基節８０又は足趾の基節９０付近に到達した時点で剥離紙１４Ａ及び１４Ｂを剥がして基節８０，９０周りに貼着させることが可能となる。また、この他にもよりスムーズな絆創膏１０の貼着を促すように剥離紙の構成は適宜変更可能である。
【００２３】
＜実施形態１の変形例１＞
実施形態１の変形例１について図９を用いて説明する。本変形例における絆創膏１１０は、挿通孔１５の孔縁１５Ｆに、平面視外方に向かう複数のスリット１５Ｓ（１５１，１５２，１５３，１５４）が表面１１０Ａ（基材層１１側）から裏面１１０Ｂ（剥離紙１３側）にかけて設けられているところが実施形態１と相違する。変形例１では、同じ長さのスリット１５Ｓが平面視において四方に延びるように短く設けられており、挿通孔１５の孔縁１５Ｆ周辺の伸びを促しやすいものとされている。また、絆創膏１１０の貼着状態においても、手足の指（特に基節８０，９０周り）や手の甲、掌の動作がしやすいものとされている。なお、スリット１５Ｓ（１５１，１５２，１５３，１５４）の長さや場所は図９に示すものに限らず、またその数も４箇所に限定されず、それぞれ適宜変更可能である。
【００２４】
＜実施形態１の変形例２＞
実施形態１の変形例２について図１０を用いて説明する。本変形例における絆創膏１２０は、挿通孔１５の孔縁１５Ｆから、平面視外方に向かう複数のスリット１５Ｓ（１５１，１５２，１５３）及び１つの切れ目１５Ｋが表面１２０Ａ（基材層１１側）から裏面１２０Ｂ（剥離紙１３側）にかけて設けられているところが実施形態１と相違する。変形例２では、同じ長さのスリット１５Ｓ（１５１，１５２，１５３）が平面視において３方向に延びるように短く設けられており、これらスリット１５Ｓ（１５１，１５２，１５３）とは別の箇所（ここでは変形例１におけるスリット１５４に相当する箇所）において、切れ目１５Ｋが、孔縁１５Ｆから絆創膏１２０の外周縁１２９にかけて設けられている。切れ目１５Ｋは、表面１２０Ａ（基材層１１側）から裏面１２０Ｂ（剥離紙１３側）にかけて設けられているため、この切れ目１５Ｋを境に貼着部１６が切断されるようになっている。これにより、変形例１のような短いスリット１５Ｓだけのものに比べて更にサイズ調整が行いやすく、手の指の基節８０や足の指の基節９０への貼着態様を多種多様なものとできる。
【００２５】
＜実施形態１による作用・効果＞
上述したような実施形態１（変形例１及び変形例２を含む）によると、外形が円形をなす絆創膏１０，１１０，１２０の平面視内方の挿通部１５に手の指又は足の指を挿通させて当該絆創膏１０，１１０，１２０を指の基節８０，９０に到達させるだけで指の基節８０，９０（付け根）周り、ひいては指間８１又は趾間９１に貼着することができる。このように貼着することで、子どもから大人まで男女問わず誰でも簡単に、また手足を問わず指間８１又は趾間９１を保護することができる。また、円形をなす絆創膏１０，１１０，１２０の平面視内方に挿通部１５を設けたことで、当該挿通部１５に手又は足の指を挿入した状態においてその周辺、つまり貼着部分１６は環状をなすこととなり、指の付け根８０，９０周り全体に斑無くフィットするように貼着可能となる。これにより、例えば手の中指を挿通させて貼着した場合、中指の付け根８０周り全体に貼着されることとなるため、中指と人差し指との指間８１、及び中指と薬指との指間８１の双方を同時に保護することができる。
【００２６】
また、そのような環状の貼着部分１６をもって指間８１又は趾間９１の患部を保護することができるため、例えば、長尺状の絆創膏を曲線部分に巻きつけるよりもフィット感が増し、また例えば長尺状の絆創膏を掌から手の甲へと跨ぐように貼着する場合に比べて見栄えも使用感も良い。また貼着する際に巻きつける必要がないことからはがれにくく、その良好な貼着状態を維持することができる。また、絆創膏１０，１１０，１２０が伸縮性を有することから、手足の指を挿入する際に挿通部１５の周辺が伸び、指の太さに合わせて自在にそのサイズ調整が行える。
【００２７】
このような絆創膏１０，１１０，１２０によると、挿通部１５が手足の指を挿通可能な開口面積を有した挿通孔１５とされているため、手足の指を挿通させやすく、その貼着をスムーズに行える。また、挿通部に手足の指を挿通させた際に指周りにおいて生地余りが発生しにくく、絆創膏１０，１１０，１２０を指間８１又は趾間９１に無駄なく密着するように貼着させることができる。また、挿通孔１５の孔内縁１５Ｆにスリット１５Ｓ（１５１，１５２，１５３，１５４）が設けられていることにより挿通孔１５の伸びを促してサイズを調整しやすく、様々な太さの指あるいは足趾に利用可能となる。また、切れ目１５Ｋによっても絆創膏１２０の貼着態様の多様化が実現可能とされる。
【００２８】
＜実施形態２＞
続いて、本発明の実施形態２について図１１乃至図１６を参照しながら説明する。実施形態２の絆創膏２０は、実施形態１に係る絆創膏の構成を一部変更したものであって、実施形態１と共通する構成については、同一の符号を付すものとし、実施形態１と重複する構成、作用、及び効果については、その説明を省略するものとする。図１１は、本発明の実施形態２に係る絆創膏２０の平面図である。
【００２９】
絆創膏２０は、外形が楕円形をなす平板円形状の絆創膏であり、その平面視内方であって略中央には手足の指を挿通するための挿通孔２５（本発明の「挿通部」に相当）が楕円状に形成されている。この挿通孔２５の孔縁２５Ｆには、平面視外方に向かうスリット２５Ｓ（２５１，２５２）が前記楕円形の長手方向に沿う向きで設けられている。なお、本実施形態においては絆創膏２０の外周縁２９及び、挿通孔２５の孔縁２５Ｆの双方を楕円形としているが、外周縁２９のみを楕円形として挿通孔２５の孔縁２５Ｆを真円としても良く、挿通部に手又は足の指を挿通させて指の付け根に貼着できる大きさ乃至形状であれば適宜変更可能である。なお、挿通孔２５の周りは円環状をなす貼着部２６とされる構成、及び絆創膏２０の基本的な貼着方法は、実施形態１で述べたものと同様である。
【００３０】
絆創膏２０の貼着方法として、例えば図１２，１３に示すように、その楕円が横向き（指の配列に倣う向き）となるように、つまり長手方向における両端２０Ｔ（２１，２２）が隣り合う指を向くように貼着することができる。この場合、手足の指を広げるようにしても、貼着部２６の長手方向における両端２０Ｔ（２１，２２）がそれぞれ隣合う指又は足趾の付け根８０，９０周りまで到達するため、指間８１又は趾間９１を広域に保護することができる。また、スリット２５Ｓ（２５１，２５２）が楕円形の長手方向に沿う向きに設けられているため、当該スリット２５Ｓ（２５１，２５２）を隣り合う指間８１又は趾間９１の溝に合わせやすい。
【００３１】
絆創膏２０の別の貼着方法として、例えば図１４−１６に示すように、その楕円が縦向きとなるように、つまり長手方向における両端２０Ｔ（２１，２２）がそれぞれ手の甲と掌（足の甲と足の裏）を向くように貼着することができる。このとき、楕円形の長手方向に沿う向きで設けられているスリット２５Ｓ（２５１，２５２）が同じく縦向きとなるため、貼着部２６の長手方向における一端２１が手のＭＰ関節８０Ｐや足の足根中足関節９０Ｐを包むように保護することができる。
【００３２】
なお、本実施形態においては、図１２−１６に示すように、絆創膏２０を横向きに貼着する場合も縦向きに貼着する場合も、スリット２５Ｓ（２５１，２５２）によってできる端部（スリット２５１においては２５１Ａ，２５１Ｂ、スリット２５２においては２５２Ａ，２５２Ｂ）を互いに重ねるように貼着しているが、この態様に限らず、例えばスリット２５Ｓ（２５１，２５２）部分が開くように、つまり端部（２５１Ａ，２５１Ｂ）（２５２Ａ，２５２Ｂ）をそれぞれ互いに離間させて、指の付け根８０，９０周りに貼着しても良い。
【００３３】
＜実施形態２による作用・効果＞
上述したような実施形態２における絆創膏２０によると、例えばその長手方向を横向きに、つまり指の配列に倣うように長手方向における両端２０Ｔ（２１，２２）が隣り合う指を向くように貼着することができ、その場合、指間８１又は趾間９１を隣り合う指の付け根まで広域に保護することができる。更に、スリット２５Ｓ（２５１，２５２）が楕円形の長手方向に沿う向きで設けられているため、同じく横向きとなる当該スリット２５Ｓ（２５１，２５２）を隣り合う指間８１又は趾間９１の溝に合わせやすく、手を握ったり指の曲げ伸ばしをしても貼着部２６のフィットした貼着状態を維持できる。
【００３４】
また、例えばその長手方向を縦向きに、つまり長手方向における両端２０Ｔ（２１，２２）がそれぞれ手の甲と掌（足の甲と足の裏）を向くように貼着することもでき、その場合、貼着部２６の一端２１が手のＭＰ関節８０Ｐや足の足根中足関節９０Ｐを包むように保護することができる。更に、楕円形の長手方向に沿う向きで設けられているスリット２５Ｓ（２５１，２５２）が同じく縦向きとなって手のＭＰ関節８０Ｐあるいは足の足根中足関節９０Ｐに沿いやすく、手指、足趾の動きによってこれらの関節８０Ｐ，９０Ｐが隆起する際にもスリット２５Ｓ（２５１，２５２）がその動きを許容してくれるため、貼着部２６が突っ張ることなく、手のＭＰ関節８０Ｐあるいは足の足根中足関節９０Ｐを包むようにフィットした貼着状態を維持できる（図１６参照）。なお、このように貼着部２６の長手方向における一端２１が手のＭＰ関節８０Ｐあるいは足の足根中足関節９０Ｐを保護する状態においても、楕円形の短手方向における貼着部２６が指間８１、趾間９１を同様に保護できる。
【符号の説明】
【００３５】
１０…絆創膏、１５…挿通部、８０…手の指の基節、９０…足の指の基節、８１…指間、９１…趾間
【図１】
2017038940.tif 000003
【図２】
2017038940.tif 000004
【図３】
2017038940.tif 000005
【図４】
2017038940.tif 000006
【図５】
2017038940.tif 000007
【図６】
2017038940.tif 000008
【図７】
2017038940.tif 000009
【図８】
2017038940.tif 000010
【図９】
2017038940.tif 000011
【図１０】
2017038940.tif 000012
【図１１】
2017038940.tif 000013
【図１２】
2017038940.tif 000014
【図１３】
2017038940.tif 000015
【図１４】
2017038940.tif 000016
【図１５】
2017038940.tif 000017
【図１６】
2017038940.tif 000018